(57)【特許請求の範囲】
【請求項１】
表側に画像を表示する表示パネルへ光を供給する発光素子が一面に実装してある基板と、
該基板を固定してある放熱体と
を備える表示装置において、
前記基板の他面には前記発光素子に関する情報が記載してあり、
前記放熱体は前記基板の前記情報の記載位置以外の部分を固定してあり、
前記基板は、前記情報の記載位置では前記放熱体より露出していること
を特徴とする表示装置。
【請求項２】
前記発光素子に電源を供給する導線と接続されるコネクタが前記基板の一面に取り付けてあり、
前記コネクタの固定位置に対応した基板の他面に前記情報が記載されてあること
を特徴とする請求項１に記載の表示装置。
【請求項３】
前記情報は、前記基板の端部に記載されてあること
を特徴とする請求項１又は２に記載の表示装置。
【発明の詳細な説明】
【技術分野】
【０００１】
本発明はエッジライト方式の表示装置に関する。
【背景技術】
【０００２】
液晶パネルを表示パネルとして備える液晶表示装置は、薄形で軽量である上、消費電力が小さいことから、近年、テレビジョン受像機、コンピュータ及び携帯端末用の画像表示装置として広く採用されている。
【０００３】
液晶表示装置の構成部材である液晶パネルは、自ら発光しないので、液晶表示装置は、ＣＲＴ（Ｃａｔｈｏｄｅ  Ｒａｙ  Ｔｕｂｅ）などの自発光型の表示装置とは異なり、面上の光源部を必要とする。
【０００４】
この光源部の一つの方式として、エッジライト方式がある。エッジライト方式は、液晶パネルの裏側に導光板及び導光板を支持するカバーを配し、導光板の側面側に光源を配する方式である。エッジライト方式は、導光板の側面から入光した光を、導光板内を拡散させながら導光板の一面から出光する。そのため、拡散板の裏側に光源が配される直下ライト方式に比べて表示装置の表裏厚さを薄くすることが可能となる利点がある。
【０００５】
エッジライト方式では、近年、従来の冷陰極管より小型なＬＥＤ（Ｌｉｇｈｔ  Ｅｍｉｔｔｉｎｇ  Ｄｉｏｄｅ）が光源として使われるようになっている。光源として用いるＬＥＤは白色発光のＬＥＤである。白色ＬＥＤは、ＬＥＤ毎に色度又は明るさなどの発光特性にばらつきがある。そこで、製造された白色ＬＥＤを特性値毎に、複数グループに分けて管理を行なっている。各グループのことをランクという。白色ＬＥＤを実装する場合、ランクの異なる白色ＬＥＤを組み合わせて実装すると表示品位が悪化するため、ランクを合わせてＬＥＤ基板に実装する必要がある。
【０００６】
また、取付けて使用していたＬＥＤ基板が故障した為に交換修理（所謂，メンテナンス）するような場合には、故障したＬＥＤ基板に実装されている白色ＬＥＤと同じランクの白色ＬＥＤが実装されたＬＥＤ基板を、製造された多数枚のＬＥＤ基板のうちから探し出すことは労力がかかる作業である。
【０００７】
このような問題を解決するために特許文献１に記載の表示装置においては、ＬＥＤ基板が製造される毎に、これに装着する複数の白色ＬＥＤのランクを各ＬＥＤ基板の表面又は白色ＬＥＤの側面に記録している。ＬＥＤ基板が故障した場合、この故障したＬＥＤ基板に記録されているバーコードを読み取ることでそのＬＥＤ基板に実装された白色ＬＥＤのランクを取得することが記載されている。
【先行技術文献】
【特許文献】
【０００８】
【特許文献１】特開２０１１−１８５７６号公報
【発明の概要】
【発明が解決しようとする課題】
【０００９】
しかし、近年、表示の輝度を上げるために、白色ＬＥＤは高密度で実装されるため、白色ＬＥＤ実装面（ＬＥＤ基板表面）にバーコード等のランク情報を記載するのは困難である。また、表示装置の薄型化に伴い白色ＬＥＤも小型化しているため、白色ＬＥＤの側面にランク情報を記載するのも困難である。そのため、ランク情報はＬＥＤ基板の裏面（白色ＬＥＤ実装面の反対面）に記載せざるを得ない。
【００１０】
一方、白色ＬＥＤを高輝度で発光するよう駆動した場合、高温となるため、他の部品に影響を与えるばかりでなく、熱により白色ＬＥＤ自身が破損する場合がある。そのため、白色ＬＥＤを光源として使用する場合は、放熱構造を設けることが必須である。放熱の一方法としてＬＥＤ基板の裏面に、アルミニウム等の金属製の放熱体を貼り付けることが行われている。
【００１１】
従って、ＬＥＤ基板が放熱体に取り付けられた場合、ランク情報が放熱体で隠れることとなる。ランク情報を確認するためには、ＬＥＤ基板から放熱体を取り外す必要があるが、ＬＥＤ基板は薄く剛性が低いため破損することがあった。
【００１２】
本発明は、上述のごとき事情に鑑みてなされたものであり、白色ＬＥＤのランク情報を放熱体から取り外すこと無く容易に確認することが可能な表示装置等を提供することを目的とする。
【課題を解決するための手段】
【００１３】
本発明に係る表示装置は、表側に画像を表示する表示パネルへ光を供給する発光素子が一面に実装してある基板と、該基板を固定してある放熱体とを備える表示装置において、前記基板の他面には前記発光素子に関する情報が記載してあり、前記放熱体は前記基板の前記情報の記載位置以外の部分を固定してあり、前記基板は、前記情報の記載位置では前記放熱体より露出していることを特徴とする。
【００１４】
本発明にあっては、表側に画像を表示する表示パネルへ光を供給する発光素子が一面に実装してある基板と、該基板を固定してある放熱体とを備える表示装置において、発光素子を実装した基板には、前記発光素子に関する情報が記載され、前記放熱体は前記基板の前記情報の記載位置以外の部分を固定してあり、前記基板は、前記情報の記載位置では前記放熱体より露出しているので、放熱体から光源モジュールを取り外すこと無く、該光源モジュールの情報を参照することが可能となる。
【００１５】
本発明に係る表示装置は、前記発光素子に電源を供給する導線と接続されるコネクタが前記基板の一面に取り付けてあり、前記コネクタの固定位置に対応した基板の他面に前記情報が記載されてあることを特徴とする。
【００１６】
本発明にあっては、コネクタの固定位置に対応した基板の他面に情報を記載することとしたので、コネクタを目印として情報の記載位置を容易に特定することが可能となる。
【００１７】
本発明に係る表示装置は、前記情報は、前記基板の端部に記載されてあることを特徴とする。
【００１８】
本発明にあっては、基板の端部に情報を記載することとしたので、情報の記載位置を容易に特定することが可能となる。
【発明の効果】
【００１９】
本発明によれば、発光素子を実装した基板には、前記発光素子に関する情報が記載され、その記載位置に対応した放熱体には開口部が設けてあるので、放熱体から光源モジュールを取り外すこと無く、該光源モジュールの情報を参照することが可能となる。
【図面の簡単な説明】
【００２０】
【図１】本実施の形態１における液晶テレビの外観を示す斜視図である。
【図２】液晶テレビの要部を示す縦断面図である。
【図３】光源モジュールの部分斜視図である。
【図４】裏側下から見たヒートスプレッタの部分斜視図である。
【図５】図４のＶ−Ｖ線における断面図である。
【図６】裏側上から見た光源モジュール及びヒートスプレッタの部分斜視図である。
【図７】裏側上から見た光源モジュールが載置されたヒートスプレッタの部分斜視図である。
【図８】保持枠体を左裏側上方から見た斜視図である。
【図９】保持枠体を構成する部材のうち下側部分の部材裏側を左側面から見た斜視図である。
【図１０】図９のＸ−Ｘ線における断面図である。
【図１１】ヒートスプレッタが載置されている保持枠体の下側部分の部材裏側を左側面から見た部分斜視図である。
【図１２】本実施の形態１における液晶テレビの分解斜視図である。
【図１３】光源モジュール及びヒートスプレッタを下側から見た部分斜視図である。
【図１４】光源モジュールが載置されたヒートスプレッタを下側から見た部分斜視図である。
【図１５】光源モジュールが載置されたヒートスプレッタを側面から見た部分斜視図である。
【図１６】光源モジュールが載置されたヒートスプレッタを側面から見た部分斜視図である。
【図１７】光源モジュールが載置されたヒートスプレッタを側面から見た部分斜視図である。
【図１８】光源モジュールが載置されたヒートスプレッタを側面から見た部分斜視図である。
【発明を実施するための形態】
【００２１】
以下、本発明をその実施の形態を示す図面に基づき具体的に説明する。ここでは、表示装置を備える液晶テレビジョン（以下、「液晶テレビ」と記す）を例とする。
【００２２】
実施の形態１
図１は本実施の形態１における液晶テレビの外観を示す斜視図である。この液晶テレビは、液晶パネル１（表示パネル）、フロントキャビネット６、リアキャビネット１２、スタンド１５、チューナ部１６、画像処理部１７、電源制御部１８を含む。液晶パネル１は略直方体状をなし、表側に画像を表示する。フロントキャビネット６は矩形状の枠体であり、液晶パネル１の周縁を表側から覆っている。リアキャビネット１２は液晶パネル１の裏側を覆っている。スタンド１５は、液晶テレビ１をテーブル等の平面に立てて載置するためのものである。
【００２３】
チューナ部１６は、テレビジョン放送を受信し、放送信号を取り出す。画像処理部１７は、放送信号から画像情報を取り出す。取り出された画像情報を基に液晶パネル１に画像が表示される。電源制御部１８は、所定電圧の電力を液晶テレビの各部に供給する。
【００２４】
以下の説明においては、液晶テレビの液晶パネル１が設けられた側を表側と呼び、表側の反対側を裏側と呼び、液晶パネル１に向かって左右をそれぞれ左側、右側と呼ぶこととする。また、液晶パネル１に向かって上下をそれぞれ上側、下側と呼ぶこととする。
【００２５】
また、液晶テレビの各構成要素の説明においては、特に記載がない限り、各構成要素が組み付けられた状態での方向を記述する。
【００２６】
図２は液晶テレビの要部を示す縦断面図である。図２では液晶テレビの表側を下にして描いている。本実施の形態１の液晶テレビは、液晶パネル１の裏側に、表側からレンズ系シート群７、裏側から光反射シート８で挟んだ導光板２を配している。導光板２の長手方向側面に対向して、ベース基板３１（基板）に白色ＬＥＤ３０（発光素子）が実装された光源モジュール３が配されている。光源モジュール３は、ヒートスプレッタ４（放熱体）の導光板２と平行な面４１に固定されている。さらに、ヒートスプレッタ４は、保持枠体５の導光板２と平行な面（載置部）に固定されている。液晶パネル１表側の保持枠体５と液晶パネル１等の裏側のバックライトシャーシ９とにより、液晶パネル１、ヒートスプレッタ４等は挟まれ、ネジ６１によりフロントキャビネット６に固定されている。
【００２７】
導光板２はアクリル樹脂、ポリカーボネート樹脂、メタクリル樹脂、環状ポリオレフィン等の合成樹脂製であり、略直方形に形成されている。
【００２８】
バックライトシャーシ９は、金属板、例えば鋼板を略長方形状に形成してある。バックライトシャーシ９は、液晶テレビの裏側から、液晶パネル１、導光板２、光源モジュール３などを覆う。
【００２９】
保持枠体５と液晶パネル１とが接触する部分には、弾性部材１３が設けられ、液晶パネル１を確実に固定すると共に、保持枠体５により液晶パネル１の表面が傷つくことを防止している。フロントキャビネット６は、保持枠体５を覆う。
【００３０】
以上のように構成された液晶テレビにおいて、白色ＬＥＤ３０が発した光は、導光板２の側縁から入る。導光板２の裏側には光反射シート８があるため、導光板２の裏側方向に進んだ光は光反射シート８に反射される。光反射シート８で反射した光が、液晶パネル１を裏側から照射する。液晶パネル１が制御され、液晶パネル１の表側に画像が表示される。
【００３１】
図３は光源モジュール３の部分斜視図である。図３Ａは光源モジュールの表面を上から見た光源モジュール３の部分斜視図である。図３Ｂは光源モジュールの裏面を光源モジュール３の下側から見た部分斜視図である。図４は裏側下から見たヒートスプレッタ４の部分斜視図である。図５は図４のＶ−Ｖ線における断面図である。図６は裏側上から見た光源モジュール３及びヒートスプレッタ４の部分斜視図である。図７は裏側上から見た光源モジュール３が載置されたヒートスプレッタ４の部分斜視図である。図８は保持枠体５を左裏側上方から見た斜視図である。
【００３２】
光源モジュール３は、図３Ａに示すように、複数の白色ＬＥＤ３０と、該白色ＬＥＤ３０を実装する短冊状のベース基板３１と、コネクタ３２を含む。白色ＬＥＤ３０は、ベース基板３１の一面に長手方向に沿って並置されている。白色ＬＥＤ３０は、駆動回路（図示しない）により駆動され、発光する。白色ＬＥＤ３０の駆動電流は、コネクタ３２にて接続されるケーブルにより供給される。コネクタ３２は、ベース基板３１の一端に固定されている。コネクタ３２はベース基板３１の長手方向と交差する方向にアダプタ挿入口が設けられている。コネクタ３２の端子はベース基板３１に設けられた導線の一方と接続され、導線の他方は、白色ＬＥＤ３０の端子に接続されることにより、白色ＬＥＤ３０に電力が供給される。
【００３３】
図３Ｂに示すように、ベース基板３１の他面であって、コネクタ３２の設置位置の反対側に、ランク情報３４（発光素子に関する情報）が記載されている。ランク情報３４は、例えば、バーコード、２次元コード、ピクトグラム又は英数字から構成された文字列である。ランク情報３４は、光源モジュール３に搭載されている白色ＬＥＤ３０のランクを表す情報である。ランク情報３４は、ランクに対応する識別情報（ＩＤ、製造番号、ロット番号等）、ランクに対応する白色ＬＥＤ３０の発光特性情報（色度、輝度など）、またはランクに対応する識別情報及び白色ＬＥＤ３０の発光特性情報である。
【００３４】
ヒートスプレッタ４は、図４に示すように棒状の部材であり、図５に示すように断面が略コの字状である。図２のように取り付けられた場合に上側となる上側部分４１には、図７に示すように光源モジュール３が載置される。図４及び図６に示すように、ヒートスプレッタ４の端部には矩形状の窓部４６（開口部）が設けてある。窓部４６は、ヒートスプレッタ４と光源モジュール３とをネジ３３０でネジ穴３３、４７を介して固定した場合に、ベース基板３１に裏面に記載されたランク情報３４が露出する位置に形成してある。図６に示すように、上側部分４１にはネジ穴４７が設けられている。光源モジュール３は、ネジ穴３３及びネジ穴４７にネジを通すことにより、ヒートスプレッタ４に固定される。なお、図７においては、ネジを省略している。なお、窓部４６は矩形状に限らず、円形状、楕円状、四角形を除く多角形状でも良い。
【００３５】
図４に示すように、ヒートスプレッタ４の表側部分４２は下側部分４３と連なっている。下側部分４３は不連続であり、数箇所切断されている。切断されている下側部分４３の間には、表側部分４２と連続して下方向に伸びている板状の結合部４４が形成してある。結合部４４はヒートスプレッタ４の両端部にも形成されている。結合部４４に設けられたネジ穴４５を通るネジ６１により、ヒートスプレッタ４は保持枠体５に固定される。
【００３６】
ヒートスプレッタ４は、熱伝導率の高い金属、例えばアルミニウムにより形成され、白色ＬＥＤ３０に発生した熱を伝導し放散させる。ヒートスプレッタ４の上側部分４１の一面は、光源モジュール３と接し、他面は保持枠体５と接している。
【００３７】
図８に示すように、保持枠体５は、それぞれ金属板、例えば、鋼板により形成した、下側の部材５１、左側の部材５２、上側の部材５３、右側の部材５４をネジにより結合した、矩形枠状である。保持枠体５は、液晶パネル１、導光板２などを保持する。
【００３８】
図９は保持枠体５を構成する部材のうち下側部分の部材５１裏側を左側面から見た斜視図である。図９の下側が、液晶テレビの表側である。図１０は図９のＸ−Ｘ断線における断面図である。図１１は、ヒートスプレッタ４が載置されている保持枠体５の下側部分の部材５１裏側を左側面から見た部分斜視図である。
【００３９】
部材５１は、載置部としての液晶パネル１と平行な下側から上側に伸びる板状部分５１ａ、それに連なり表側に伸びている板状部分５１ｂを備えている。さらに部材５１は、それに連なり上側に伸びている板状部分５１ｃ、それに連なり裏側、すなわち導光板２の液晶パネル１と接する面に向かって突出している部分５１ｄ、それに連なり上側に伸びている板状部分５１ｅを備えている。部材５１は、左右方向の両端に、板状部分５１ｅから更に上側に伸びている短冊状の連結部５１ｇ及び、裏側に突出している連結部５１ｆを備えている。
【００４０】
図１１に示すように、部材５１の板状部分５１ａ、５１ｂがヒートスプレッタ４と接触する部分である。部材５１に設けられているネジ穴５１ｈは、部材５１にバックライトシャーシ９、ヒートスプレッタ４を固定するためのネジが通る穴である。
【００４１】
部材５１の連結部５１ｇは、部材５１と保持枠体５を構成する他の部材５２又は５４とをネジにより連結させるためのものである。
【００４２】
次に、本実施の形態１に係る液晶テレビの組み立て方法について、説明する。以下の説明において液晶テレビは表側を下にして組み立てている。
【００４３】
まず、フロントキャビネット６に、保持枠体５を載せる。保持枠体５の内縁部分に、液晶パネル１の外縁分が接触するように液晶パネル１を載せる。さらに液晶パネル１の上に、レンズ系シート群７、導光板２、光反射シート８を載せる。また、光源モジュール３を固定したヒートスプレッタ４を、保持枠体５の部材５１の導光板２の側縁と平行な面に載せる。さらに、バックライトシャーシ９を載せて、フロントキャビネット６にネジ６１で固定する。保持枠体５に載せられたヒートスプレッタ４は、保持枠体５及びバックライトシャーシ９に挟まれる形でネジ止めされる。
【００４４】
チューナ部１６、画像処理部１７、電源制御部１８をバックライトシャーシ９に固定し、リアキャビネット１２を被せ、フロントキャビネット６とネジで固定する。
【００４５】
図１２は本実施の形態１における液晶テレビの分解斜視図である。フロントキャビネット６、保持枠体５、ヒートスプレッタ４、及びバックライトシャーシ９がネジ６１で固定される様子を示している。フロントキャビネット６には保持枠体５が載せられている。光源モジュール３が固定されたヒートスプレッタ４は、保持枠体５に載置される。バックライトシャーシ９は、ヒートスプレッタ４及び保持枠体５を挟んで、フロントキャビネット６と固定される。
【００４６】
なお、チューナ部１６、画像処理部１７、電源制御部１８、及びリアキャビネット１２は省略している。
【００４７】
次に、白色ＬＥＤ３０のランク情報３４を参照する場合について、説明する。ランク情報を参照する場合には、まず、液晶テレビよりリアキャビネット１２を外す。次に、チューナ部１６、画像処理部１７、電源制御部１８をバックライトシャーシ９より取り外す。さらに、図１２に示すようにネジ６１を外し、バックライトシャーシ９を外す。この状態で、ヒートスプレッタ４は保持枠体５から取り外し可能となる。
【００４８】
図１３は、光源モジュール３及びヒートスプレッタ４を下側から見た部分斜視図である。図１４は光源モジュール３が載置されたヒートスプレッタ４を下側から見た部分斜視図である。
【００４９】
図１３Ａに示すように、コネクタ３２の裏側の位置に当たるベース基板３１の端部には、ランク情報３４が記載されている。図１３Ｂに示すように、ヒートスプレッタ４には窓部４６が、設けられている。
【００５０】
図１４に示すように、ヒートスプレッタ４に窓部４６を設けたことにより、光源モジュール３をヒートスプレッタ４から取り外すこと無く、該光源モジュール３のランク情報３４を容易に参照することが可能となる。ランク情報３４がランクに対応する識別情報のみの場合は、ランク識別情報と白色ＬＥＤ３０の発光特性情報とが対応付けられたデータベースを検索することにより発光特性情報を取得する。
【００５１】
上述したように、修理・点検で光源モジュール３のランク情報３４を確認する際に、光源モジュール３をヒートスプレッタ４から取り外すことに起因するベース基板３１の損傷を防ぐことが可能となる。
【００５２】
また、ランク情報３４の記載箇所をコネクタ３２に対応したベース基板３１の裏面としたので、コネクタ３２を目印として、ランク情報３４の記載箇所を容易に特定することが可能となる。
【００５３】
さらにまた、ランク情報３４の記載箇所をベース基板３１の端部としたので、ランク情報３４の記載箇所を容易に特定することが可能となる。
【００５４】
なお、ランク情報は、バーコード、２次元コード、ピクトグラム又は英数字から構成された文字列が記載されるものとしたが、ランク情報を表すものであれば、他のものでも良い。ランク情報を記載したシールをベース基板３１に貼り付けても良い。可視光下では肉眼で見えないが、紫外線を照射すると光る蛍光インク又は蛍光塗料で記載しても良い。また、基板の表面を加工し、表面の凹凸パターンで表しても良い。
【００５５】
ランクに対応した白色ＬＥＤ３０の特性情報は、色度、輝度などとしたが、それに限られず、相対色温度、演色性、発光効率を含めても良い。さらに、発光特性に限られず、電気的特性（定格電圧、消費電流など）を含めても良い。
【００５６】
ヒートスプレッタ４の形状については、上記のものに限られず、以下に示す形状を採用することも可能である。
【００５７】
変形例１
上述の実施の形態１では、ヒートスプレッタ４の長手方向の寸法は、光源モジュール３の長手方向の寸法の略２倍としてある。そのため、ヒートスプレッタ４の長手方向に伸びる面の略全面に２つの光源モジュール３が搭載されていた。本変形例１ではヒートスプレッタ４が上述のものより短くしてある。図１５は光源モジュール３が載置されたヒートスプレッタ４を側面から見た部分斜視図である。コネクタ３２が取り付けられている光源モジュール３の端部がヒートスプレッタ４より突出するようにしてある。コネクタ３２部分の発熱は少ないため、コネクタ３２に対応する部分にはヒートスプレッタがない構造としてある。
【００５８】
変形例１では、ヒートスプレッタ４において光源モジュール３のコネクタ３２に対応する部分をなくすことにより、部材の削減を図ることが可能となる。また、光源モジュール３のコネクタ３２の反対面にあるランク情報３４が読み取りやすくなるという利点がある。その他の点については、上述の実施形態と同様であるので、説明を省略する。
【００５９】
変形例２
上述の実施の形態１では、光源モジュール３のコネクタ３２の反対面にランク情報３４を記載してある。ヒートスプレッタ４に窓部４６を設け、光源モジュール３をヒートスプレッタ４から取り外すことなくランク情報３４の読み取りを可能としている。
【００６０】
変形例２では、ランク情報３４の読み取りがより容易にするために、窓部４６をヒートスプレッタ４の複数面に渡るようにする。図１６は光源モジュール３が載置されたヒートスプレッタ４を側面から見た部分斜視図である。光源モジュール３のコネクタ３２の反対面にはランク情報３４が記載されている。光源モジュール３がヒートスプレッタ４に取り付けられている場合であっても、ランク情報３４が読み取り可能であるように、ヒートスプレッタ４には窓部４６が設けられている。本変形例２ではランク情報３４が記載されている面のみならず、ヒートスプレッタ４の他の面にも窓部４６がつながっており、複数面に渡るようにしてある。窓部４６がヒートスプレッタ４の複数面に渡っていることにより、ヒートスプレッタ４に取り付けられた光源モジュール３のランク情報３４を読み取りやすくなる。ランク情報３４がバーコード、二次元バーコードなど読み取り機で読み取らないと、記載内容が判明しない場合は、特に有効である。
【００６１】
変形例３
上述の実施の形態１では、ヒートスプレッタ４に窓部４６を設けている。窓部４６を設ける際には、ヒートスプレッタ４の該当する面の一部を取り除いている。変形例３では窓部４６を設けるために切り出す板状部分を取り除くのではなく、一部分をヒートスプレッタ３本体に接続したままとする。図１７は光源モジュール３が載置されたヒートスプレッタ４を側面から見た部分斜視図である。窓部４６を設けるために切り出した板状部分４６ａはヒートスプレッタ４と接続された状態で内部に折り込まれている。
【００６２】
図１１に示したように、ヒートスプレッタ４は保持枠体５を構成する部材５１と結合されるため、部材５１の切り出した板状部分４６ａと対応する位置に、切り出した板状部分４６ａと嵌合する孔を設けることとする。
【００６３】
変形例３では、窓部４６を形成するために切り出した板状部分４６ａを完全に取り除くのではなく、一部分をヒートスプレッタ４本体に接続したままとするため、切り出した板状部分４６ａも光源モジュール３に発生した熱を放熱する役目を担う。また、部材５１の切り出した板状部分４６ａと対応する位置に、切り出した板状部分４６ａと嵌合する孔を設け、当該孔と切り出した板状部分４６ａが嵌合するので、組み立て時にヒートスプレッタ４の位置決めをすることが可能となる。
【００６４】
変形例４
上述の実施の形態１、変形例３では、光源モジュール３がヒートスプレッタ４に取り付けられた状態で、光源モジュール３に記載したランク情報３４が見ることが可能とするように、ヒートスプレッタ４に窓部４６を設けている。変形例４では窓部４６ではなく、ヒートスプレッタ４の先端を切り欠く構成とする。図１８は光源モジュール３が載置されたヒートスプレッタ４を側面から見た部分斜視図である。ヒートスプレッタ４の先端をＵ字形状となるよう切り欠いた切り欠き部４８が形成してある。切り欠き部４８を形成したことにより、光源モジュール３に記載されたランク情報３４を読み取ることが可能となる。一方、変形例１と異なり、ヒートスプレッタ４の先端部分に部材が残っているので、光源モジュール３の先端部分もヒートスプレッタ４で保持することが可能となる。
【００６５】
なお、切り欠き部４８の形状はＵ字形状としたが、それに限らず、刺股形状、フォーク形状としても良い。
【００６６】
上述の説明において、ヒートスプレッタ４に搭載される光源モジュール３の数は、特に言及していないが、１つであっても複数であっても良い。複数の場合は、コネクタ３２の位置を考慮すると、２つとするのが好適である。その場合、光源モジュール３は、左右対称な構成とする。すなわち、ヒートスプレッタ４に２つの光源モジュール３が固定された場合、ヒートスプレッタ４の長手方向中央、短手方向を軸として線対称となるように構成する。図６に示したように、一方の光源モジュール３は、液晶テレビの左側にコネクタ３２が位置する。それと対称となる他方の光源モジュールは、液晶テレビの右側にコネクタが位置することとなる。
【００６７】
ヒートスプレッタ４と保持枠体５とはネジ止めされるものとしたが、それに限らず、接着剤、両面テープで固定しても良い。
【００６８】
また、ヒートスプレッタ４から保持枠体５へ伝導する熱量を増やすために、シリコン、アクリル樹脂、カーボンファイバなどから形成された熱伝導性シート（熱伝導体）をヒートスプレッタ４と保持枠体５との間に介在させる構造としても良い。さらにまた、ヒートスプレッタ４とバックライトシャーシ９との間に熱伝導性シートを介在させても良い。
【００６９】
上述の説明において、ヒートスプレッタ４はアルミニウム製としたが、それに限られず、熱伝導性の良い材質であれば良い。例えば、鉄又はステンレスである。より効率良く熱を放散する観点からは、銀や銅なども好ましいが、コスト、強度及び加工の容易さを考慮すると、アルミニウム、鉄、又はステンレスを用いることが好ましい。
【００７０】
保持枠体５及びバックライトシャーシ９は鋼板より構成されるものとしたが、白色ＬＥＤ３０の熱をより良く放散させるために、アルミニウム、鉄、又はステンレスを用いても良い。
【００７１】
なお、上述した実施の形態はすべての点で例示であって、制限的なものではないと考えられるべきである。本発明の範囲は、上述した意味ではなく、特許請求の範囲によって示され、特許請求の範囲と均等の意味及び範囲内でのすべての変更が含まれることが意図される。
【符号の説明】
【００７２】
１  液晶パネル
２  導光板
３  光源モジュール
３０  白色ＬＥＤ
３１  ベース基板
３２  コネクタ
３４  ランク情報
４  ヒートスプレッタ
４６  窓部
５  保持枠体
５１ａ、５１ｂ  板状部分（載置部）
６  フロントキャビネット
９  バックライトシャーシ
１２  リアキャビネット
【図１】
0005372279.tif 000002
【図２】
0005372279.tif 000003
【図３】
0005372279.tif 000004
【図４】
0005372279.tif 000005
【図５】
0005372279.tif 000006
【図６】
0005372279.tif 000007
【図７】
0005372279.tif 000008
【図８】
0005372279.tif 000009
【図９】
0005372279.tif 000010
【図１０】
0005372279.tif 000011
【図１１】
0005372279.tif 000012
【図１２】
0005372279.tif 000013
【図１３】
0005372279.tif 000014
【図１４】
0005372279.tif 000015
【図１５】
0005372279.tif 000016
【図１６】
0005372279.tif 000017
【図１７】
0005372279.tif 000018
【図１８】
0005372279.tif 000019